(57)【特許請求の範囲】
【請求項１】
光ファイバ（１２０）の余長を収納する余長収納部（１）と前記光ファイバが通される光ファイバ配線口（４）とを有する光配線ユニット（Ａ）が、光ファイバ（１０１、１０２）をコネクタ接続可能に成端する光コネクタ（１１０）が設けられてなる成端ユニットの間に設けられ、
両端が前記光配線ユニットの両側の成端ユニットの光コネクタにコネクタ接続される光ファイバの余長が前記光配線ユニットに収納され、この光ファイバの前記光ファイバ配線口から引き出された両端が前記光配線ユニットの両側の前記各成端ユニットの前記光コネクタに切替可能にコネクタ接続されるようになっており、
前記光配線ユニット（Ａ）が、光ファイバが引き込まれるユニット本体（Ｕ）に、光ファイバの余長を収納する余長収納部（１）と、当該ユニット本体の一側部に設けられ、前記余長収納部から引き出された前記光ファイバが配線されるよう延在された光ファイバ配線部（２）とを備え、
前記光ファイバ配線部の一側部には、前記光ファイバ配線部の前記ユニット本体外側に臨む側部に突設され前記光ファイバ配線部からの光ファイバの落下を防止する落下防止片（３１）と、その落下防止片を避けて設けられ前記光ファイバ配線部より光ファイバが前記ユニット本体の外側へ引き出される光ファイバ配線口（４）とを備え、
前記光ファイバ配線口は前記光ファイバ配線部の異なる複数箇所に分離して設けられ、
前記光配線ユニットの一方の側の成端ユニットから前記光ファイバ配線部の延在方向端部の光ファイバ配線口（４１）を介して前記ユニット本体に引き込まれた複数の光ファイバが、前記光ファイバ配線部の延在方向端部以外の側部に設けられた複数の光ファイバ配線口（４２）から仕分けされて前記光配線ユニットの他方の側の成端ユニットへ引き出されていることを特徴とする光配線方式。
【請求項２】
請求項１記載の光配線方式において、前記光ファイバ配線部の異なる延在方向端部に設けられた光ファイバ配線口（４１）は、前記光ファイバ配線部の延在方向端部以外の側部に設けられた光ファイバ配線口（４２）に対して開口向きが異なっていることを特徴とする光配線方式。
【請求項３】
光ファイバ（１２０）の余長を収納する余長収納部（１）と前記光ファイバが通される光ファイバ配線口（４）とを有する光配線ユニット（Ａ）が、光ファイバ（１０１、１０２）をコネクタ接続可能に成端する光コネクタ（１１０）が設けられてなる上下の成端ユニットの間に設けられ、
両端が前記光配線ユニットの両側の成端ユニットの光コネクタにコネクタ接続される光ファイバの余長が前記光配線ユニットに収納され、この光ファイバの前記光ファイバ配線口から引き出された両端が前記光配線ユニットの両側の前記各成端ユニットの前記光コネクタに切替可能にコネクタ接続されており、
前記光配線ユニット（Ａ）が、光ファイバが引き込まれるユニット本体（Ｕ）に、光ファイバの余長を収納する余長収納部（１）と、当該ユニット本体の一側部に設けられ、前記余長収納部から引き出された前記光ファイバが配線されるよう延在された光ファイバ配線部（２）とを備え、
前記光ファイバ配線部の一側部には、前記光ファイバ配線部の前記ユニット本体外側に臨む側部に突設され前記光ファイバ配線部からの光ファイバの落下を防止する落下防止片（３１）と、その落下防止片を避けて設けられ前記光ファイバ配線部より光ファイバが前記ユニット本体の外側へ引き出される光ファイバ配線口（４）とを備え、
前記光ファイバ配線口は前記光ファイバ配線部の異なる複数箇所に分離して設けられ、
前記光配線ユニットの一方の側の成端ユニットから前記光ファイバ配線部の延在方向端部の光ファイバ配線口（４１）を介して前記ユニット本体に引き込まれた複数の光ファイバが、前記光ファイバ配線部の延在方向端部以外の側部に設けられた複数の光ファイバ配線口（４２）から仕分けされて前記光配線ユニットの他方の側の成端ユニットへ引き出されていることを特徴とする光配線盤（Ｐ）。
【発明の詳細な説明】
【０００１】
【発明の属する技術分野】
本発明は、複数の光ファイバを整理して配線することに用いられる光配線方式、光配線盤に関する。
【０００２】
【従来の技術】
例えば、光配線盤等にあっては、光ファイバをコネクタ接続可能に成端した光コネクタアダプタが実装された成端ユニットが複数搭載されてなる構成が多く使用されている。このような光配線盤では、例えば、異なる成端ユニット間に配線したジャンパ用光ファイバを用いて光コネクタアダプタ間を接続することで、各成端ユニットの光ファイバ同志が前記ジャンパ用光ファイバを介して接続される。
前記ジャンパ用光ファイバは、両端に光コネクタが設けられた光ファイバコードであることが一般的である。また、ジャンパ用光ファイバの両端の光コネクタは、光コネクタアダプタに対して切替接続可能であることが一般的である。
【０００３】
【発明が解決しようとする課題】
ところで上述のような光配線盤では、成端ユニット間を接続するジャンパ用光ファイバが多数本であると、目的の光コネクタアダプタ間を接続するようにジャンパ用光ファイバを配線する作業や、切替接続作業等に手間がかかる。特に、切替接続作業や、ジャンパ用光ファイバの入替え（交換）等の作業では、作業対象の光ファイバの発見、取出しに手間がかかるため、この作業性を向上できる技術の開発が求められていた。さらに、多数本のジャンパ用光ファイバのそれぞれに確保した余長を、光特性に影響しない湾曲半径を以って湾曲処理する必要があり、これを実現し得る技術の開発が求められていた。
【０００４】
本発明は、上記の事情に鑑みてなされたものであって、複数の光ファイバの余長を収納し、整理して配線することのできる光配線方式、光配線盤を提供することを目的とする。
【０００５】
【課題を解決するための手段】
請求項１に記載の発明は、光ファイバの余長を収納する余長収納部と前記光ファイバが通される光ファイバ配線口とを有する光配線ユニットが、光ファイバをコネクタ接続可能に成端する光コネクタが設けられてなる成端ユニットの間に設けられ、両端が前記光配線ユニットの両側の成端ユニットの光コネクタにコネクタ接続される光ファイバの余長が前記光配線ユニットに収納され、この光ファイバの前記光ファイバ配線口から引き出された両端が前記光配線ユニットの両側の前記各成端ユニットの前記光コネクタに切替可能にコネクタ接続されるようになっており、前記光配線ユニットが、光ファイバが引き込まれるユニット本体に、光ファイバの余長を収納する余長収納部と、当該ユニット本体の一側部に設けられ、前記余長収納部から引き出された前記光ファイバが配線されるよう延在された光ファイバ配線部とを備え、前記光ファイバ配線部の一側部には、前記光ファイバ配線部の前記ユニット本体外側に臨む側部に突設され前記光ファイバ配線部からの光ファイバの落下を防止する落下防止片と、その落下防止片を避けて設けられ前記光ファイバ配線部より光ファイバが前記ユニット本体の外側へ引き出される光ファイバ配線口とを備え、前記光ファイバ配線口は前記光ファイバ配線部の異なる複数箇所に分離して設けられ、前記光配線ユニットの一方の側の成端ユニットから前記光ファイバ配線部の延在方向端部の光ファイバ配線口を介して前記ユニット本体に引き込まれた複数の光ファイバが、前記光ファイバ配線部の延在方向端部以外の側部に設けられた複数の光ファイバ配線口から仕分けされて前記光配線ユニットの他方の側の成端ユニットへ引き出されていることを特徴とする。
このような構成としたことにより、両端が成端ユニットの光コネクタにコネクタ接続される光ファイバの余長が光配線ユニットに吸収され、整理されて配線される。
【０００６】
また、このような構成としたことにより、複数の光ファイバの余長は、余長収納部に許容曲率半径を以って収納される。これらの光ファイバは、光ファイバ配線部において整然と配線され、さらに仕分けされて光ファイバ配線口よりユニット本体外側に引き出される。この時、光ファイバ配線口より引き出される光ファイバ以外は、光ファイバ配線口から飛び出し、落下しないよう落下防止片によって支えられる。
【０００８】
このような構成としたことにより、光ファイバが引き込まれる光ファイバ配線口と、光ファイバが引き出される光ファイバ配線口とが、識別可能に別個に設けられる。すなわち、複数の光ファイバが、全て一の光ファイバ配線口よりユニット本体に引き込まれ、他の異なる光ファイバ配線口より接続先別あるいは種類別に整理されて引き出され、引き込まれる光ファイバと、引き出される光ファイバが識別可能に設けられる。
【０００９】
請求項２に記載の発明は、請求項１記載の光配線用ユニットにおいて、前記光ファイバ配線部の異なる延在方向端部に設けられた光ファイバ配線口は、前記光ファイバ配線部の延在方向端部以外の側部に設けられた光ファイバ配線口に対して開口向きが異なっていることを特徴とする。
【００１０】
このような構成としたことにより、光ファイバが引き込まれる光ファイバ配線口の開口向きと、光ファイバが引き出される光ファイバ配線口の開口向きとが、異なって設けられ、一の光ファイバ配線口よりユニット本体に引き込まれる光ファイバの束の向きと、ユニット本体から他の光ファイバ配線口より引き出される光ファイバの束の向きとが識別可能に設けられる。
【００１１】
請求項３に記載の発明は、光ファイバの余長を収納する余長収納部と前記光ファイバが通される光ファイバ配線口とを有する光配線ユニットが、光ファイバをコネクタ接続可能に成端する光コネクタが設けられてなる上下の成端ユニットの間に設けられ、両端が前記光配線ユニットの両側の成端ユニットの光コネクタにコネクタ接続される光ファイバの余長が前記光配線ユニットに収納され、この光ファイバの前記光ファイバ配線口から引き出された両端が前記光配線ユニットの両側の前記各成端ユニットの前記光コネクタに切替可能にコネクタ接続されており、前記光配線ユニットが、光ファイバが引き込まれるユニット本体に、光ファイバの余長を収納する余長収納部と、当該ユニット本体の一側部に設けられ、前記余長収納部から引き出された前記光ファイバが配線されるよう延在された光ファイバ配線部とを備え、前記光ファイバ配線部の一側部には、前記光ファイバ配線部の前記ユニット本体外側に臨む側部に突設され前記光ファイバ配線部からの光ファイバの落下を防止する落下防止片と、その落下防止片を避けて設けられ前記光ファイバ配線部より光ファイバが前記ユニット本体の外側へ引き出される光ファイバ配線口とを備え、前記光ファイバ配線口は前記光ファイバ配線部の異なる複数箇所に分離して設けられ、前記光配線ユニットの一方の側の成端ユニットから前記光ファイバ配線部の延在方向端部の光ファイバ配線口を介して前記ユニット本体に引き込まれた複数の光ファイバが、前記光ファイバ配線部の延在方向端部以外の側部に設けられた複数の光ファイバ配線口から仕分けされて前記光配線ユニットの他方の側の成端ユニットへ引き出されていることを特徴とする光配線盤である。
【００１２】
このような構成としたことにより、両端が成端ユニットの光コネクタにコネクタ接続される光ファイバの余長が光配線ユニットに吸収され、整理されて配線される。
【００１３】
【発明の実施の形態】
以下、本発明の一実施形態を図面に基づき説明する。
図１から図３に、本発明に係る光配線用ユニットの実施形態を示す。
【００１４】
光配線用ユニットＡは、図１（ａ）〜（ｃ）に示すように、ユニット本体Ｕに、光ファイバ１２０、１２０・・・の余長を収納する余長収納部１と、ユニット本体Ｕの一側部に設けられ、余長収納部１から引き出された光ファイバ１２０、１２０・・・が配線されるよう延在された光ファイバ配線部２とを備えている。
ここで、余長収納部１は、光ファイバ１２０、１２０・・・が載置される略四角形状の配線プレート１１と、配線プレート１１の側部に設けられた側壁１２、１２、及び後壁１３とから構成されている。
また、ユニット本体Ｕの一側部に設けられた光ファイバ配線部２は、配線プレート１１の後壁１３の設けられた側と反対側の側部が延出するように形成された延出プレート２１から構成されている。そして、延出プレート２１の延在方向の両端の角部が切除されており、切除されて形成された端縁２１１、２１１が残りの延出プレート２１の端縁２１２と一定の角度をなしている。
【００１５】
さらに、光ファイバ配線部２の一側部でありユニット本体Ｕの外側に臨む側部である延出プレート２１の端縁２１２に、光ファイバ配線部２からの光ファイバ１２０、１２０・・・の落下を防止する複数の落下防止片３１、３１・・・が突設されている。ここで、落下防止片３１、３１・・・は、延出プレート２１の一部が延出し、上方に折曲され、さらに延出してユニット本体Ｕ側へ折り返され、また延出して下方へ折曲されるようにして形成されている。
【００１６】
光ファイバ１２０、１２０・・・をユニット本体Ｕに引き込み、また引き出すための複数の光ファイバ配線口４、４・・・が、光ファイバ配線部２の側部、すなわち延出プレート２１の端縁２１１、及び端縁２１２に、落下防止片３１、３１・・・を避けて設けられている。ここで、光ファイバ配線口４、４・・・は、光ファイバ配線部２の延在方向端部である端縁２１１、２１１に設けられた光ファイバ配線口４１、４１と、それ以外の側部の端縁２１２に設けられた光ファイバ配線口４２、４２・・・とからなり、端縁２１１と端縁２１２との間のなす角度によって、光ファイバ配線口４１と光ファイバ配線口４２の開口向きが異なる構成とされている。
【００１７】
また、光ファイバ配線口４１、４１には、光ファイバ把持部３２、３２が設けられている。
【００１８】
さらに、側壁１２、１２の光ファイバ配線部２側の端部には、フレーム取付部５、５がそれぞれ側壁１２、１２に直角に設けられている。
【００１９】
上記の構成からなる光配線用ユニットＡにおいて、複数の光ファイバ１２０、１２０・・・が全て光ファイバ配線口４１、４１からユニット本体Ｕに引き込まれ、これらの光ファイバ１２０、１２０・・・の余長が余長収納部１に収納される。そして、余長収納部１から引き出された光ファイバ１２０、１２０・・・の端部は、光ファイバ配線部２で整理配線され、仕分けされて複数の光ファイバ配線口４２、４２・・・からユニット本体Ｕの外側へ引き出される。
【００２０】
ここで、端縁２１１と端縁２１２との間の角度にならった光ファイバ配線口４１と光ファイバ配線口４２の開口向きの違いにより、光ファイバ配線口４１、４１からユニット本体Ｕに引き込まれる光ファイバの向きと、光ファイバ配線口４２、４２・・・から引き出される光ファイバ１２０、１２０・・・の向きは、目視して明らかに違いが分かるものとされる。
【００２１】
図２及び図３は、例えば、上述の光配線ユニットＡが、光配線盤ＯのフレームＰに、フレーム取付部５、５でネジ止めされることによって組み込まれた状態の一例を示している。
光配線ユニットＡの上下には、成端ユニットＢ及び成端ユニットＣが組み込まれており、これらの成端ユニットに、引き込まれた複数の光ファイバ１０１、１０１・・・や、光ファイバ１０２、１０２・・・をコネクタ接続可能に成端した光コネクタアダプタ１１０、１１０・・・が実装されている。
【００２２】
光配線盤ＯのフレームＰに組み込まれた光配線ユニットＡにおいて、これらの光コネクタアダプタ１１０、１１０・・・を接続する光ファイバ１２０、１２０・・・は、成端ユニットＣから光ファイバ配線口４１よりユニット本体Ｕに引き込まれ、余長が余長収納部１に収納される。以下、これらの光ファイバ１２０、１２０・・・のことをジャンパ用光ファイバ１２０、１２０・・・と呼ぶこともある。
余長収納部１から引き出されたジャンパ用光ファイバ１２０、１２０・・・の端部は光ファイバ配線部２で整理配線され、仕分けされて複数の光ファイバ配線口４２、４２・・・からユニット本体Ｕの外側へ成端ユニットＢに向けて引き出される。
【００２３】
さらに、上方または下方にある図示せぬ成端ユニットに接続されるジャンパ用光ファイバ１２０、１２０・・・は、光ファイバ把持部３２に把持され光ファイバ配線口４１よりユニット本体Ｕに引き込まれる。光ファイバ把持部３２は、下方に垂れ下がる光ファイバの自重によって、ジャンパ用光ファイバ１２０、１２０・・・がユニット本体Ｕから抜け落ちることを防止したり、作業者の接触等により光ファイバに作用した引張り力や振動がユニット本体Ｕ内の光ファイバに伝達することを防止する。
【００２４】
このように、図１から図３に示される光配線用ユニットＡによれば、成端ユニットＢ及び成端ユニットＣ等の複数の成端ユニットに実装された複数の光コネクタアダプタ１１０、１１０・・・間を複数のジャンパ用光ファイバ１２０、１２０・・・で接続する際、ジャンパ用光ファイバ１２０の余長を収納して、整理配線を行うことができる。この時、複数の光配線用ユニットＡをフレームＰ全体に複数箇所に分割して配置することにより、一つの光配線用ユニットに収納されるジャンパ用光ファイバの数を少なくすることができるため、さらに効率的に成端ユニット間のジャンパ用光ファイバの余長を吸収し、整理配線することができる。このように、複数のジャンパ用光ファイバ１２０、１２０・・・のうち、どのジャンパ用光ファイバ１２０、１２０・・・がどの成端ユニットに接続されるものであるか素早く識別できるようになり、目的となるジャンパ用光ファイバ１２０、１２０・・・をいち早く見つけ出すことができる。
また、ジャンパ用光ファイバ１２０、１２０・・・が引き込まれる光ファイバ配線口４１と、ジャンパ用光ファイバ１２０、１２０・・・が引き出される光ファイバ配線口４２とが別個に設けられ、しかも、引き込まれる方向と、引き出される方向が異なるような構成とされるため、複数のジャンパ用光ファイバ１２０、１２０・・・がユニット本体Ｕに引き込まれる位置を、ジャンパ用光ファイバ１２０、１２０・・・の場所と向きから一目瞭然に識別することができる。
こうして、回線の切替作業や、ジャンパ用光ファイバ１２０、１２０・・・の入替え作業等を行う際に、作業効率を著しく改善することができる。
【００２５】
【発明の効果】
本発明は、以下に記載されるような効果を奏する。
以上説明したように、本発明によれば、光ファイバ配線口によって複数本の光ファイバを整然と配線することができるから、このユニットを経由した光ファイバの配線や、切替接続等を容易に行うことができる。特に、光ファイバの切替接続や、入替え（交換）等では、光ファイバをいち早く見つけ出すことができ、作業性を向上できる。また、複数の光ファイバ配線口を互いに分離させて設けたり、さらに引き込まれる方向と、引き出される方向が異なるような構成とすることで、目的の光ファイバの発見が一層容易になったり、光ファイバの移動等を別の光ファイバ配線口から引き出されている光ファイバに影響を与えることなく行えるようになるため、切替接続作業や、入替え作業等の作業性を一層向上できる。また、両端が離れた所に設置された成端ユニットにそれぞれコネクタ接続される光ファイバは、成端ユニットの中間に設置された光配線用ユニットにその余長を吸収させるという配線方式によって、効率よく整理されることができる。
【図面の簡単な説明】
【図１】本発明の一実施の形態を示す図であって、それぞれ、光配線用ユニットの一例を示す（ａ）平面図、（ｂ）正面図、（ｃ）右側面図である。
【図２】本発明の一実施の形態を示す図であって、光配線用ユニットが光配線盤のフレームに組み込まれた状態を示す一部拡大図である。
【図３】本発明の一実施の形態を示す図であって、光配線用ユニットが光配線盤のフレームに組み込まれた状態を示す一部断面図である。
【符号の説明】
Ａ・・・光配線用ユニット、Ｂ・・・成端ユニット、Ｃ・・・成端ユニット、Ｏ・・・光配線盤、Ｐ・・・フレーム、１・・・余長収納部、２・・・光ファイバ配線部、４・・・光ファイバ配線口、５・・・フレーム取付部、１１・・・配線プレート、１２・・・側壁、１３・・・後壁、２１・・・延出プレート、３１・・・落下防止片、３２・・・光ファイバ把持部、１１０・・・光コネクタアダプタ、１２０・・・光ファイバ（ジャンパ用光ファイバ）
【図１】
0003865998.tif 000002
【図２】
0003865998.tif 000003
【図３】
0003865998.tif 000004